(57)【要約】【課題】保水効果の持続性を確保しながら、遮熱性も持たせることができるようにする。【解決手段】保水層２と、遮熱層３とを有し、保水層２と遮熱層３とが一体化されていることを特徴とするコンクリート養生シート１。【選択図】図１
2014152560.tif 000002
【特許請求の範囲】
【請求項１】
保水層と、
熱を反射する遮熱層とを有し、該保水層と遮熱層とが一体化されていることを特徴とするコンクリート養生シート。
【請求項２】
請求項１に記載のコンクリート養生シートにおいて、
上記遮熱層には、凹部が形成されていることを特徴とするコンクリート養生シート。
【請求項３】
請求項１に記載のコンクリート養生シートにおいて、
上記遮熱層には、凸部が形成されていることを特徴とするコンクリート養生シート。
【請求項４】
請求項１から３のいずれか１つに記載のコンクリート養生シートにおいて、
上記保水層と上記遮熱層との間に、断熱層が設けられ、
上記保水層、上記断熱層及び上記遮熱層が積層一体化されていることを特徴とするコンクリート養生シート。
【発明の詳細な説明】
【技術分野】
【０００１】
本発明は、現場で打ち込まれたコンクリートを養生する際に使用するコンクリート養生シートに関するものである。
【背景技術】
【０００２】
一般に、コンクリート工事においては、コンクリートの強度、耐久性、水密性等の所要の品質を確保するため、コンクリートの打ち込み後、一定期間を硬化に必要な温度及び湿度に保つ、いわゆる養生が必要である。
【０００３】
養生方法としては様々あり、例えば、コンクリートの表面に水を撒く散水養生、湿ったむしろ等をコンクリート表面に被せる湿布養生、堰をつくって水を溜める湛水養生、コンクリート表面にラップを巻く養生方法、コンクリート表面をブルーシートで覆う養生方法等がある（従来技術１）。
【０００４】
また、コンクリート表面にスポンジマットを敷いて散水する養生方法も知られている（従来技術２）。
【０００５】
また、例えば特許文献１には、コンクリート表面の減少した分の水分を補給するコンクリート養生シートとして、水を吸収することによって膨潤する湿潤材を突出体に成形して基材シートに一体に設けたものが開示されている（従来技術３）。
【０００６】
また、例えば特許文献２には、水を吸収することによって膨潤する湿潤材を含む保湿シートと、断熱材からなる保温シートとを積層状態で一体化したコンクリート養生シートが開示されている（従来技術４）。
【０００７】
さらに、例えば特許文献３には、断熱部材を防水性シートで被包する断熱用マットと、この断熱用マットの片面に設けられた湿潤用マットとからなるコンクリート養生シートが開示されている（従来技術５）。
【先行技術文献】
【特許文献】
【０００８】
【特許文献１】特許第３７５４２８４号公報
【特許文献２】特開２０１０−１９６３９６号公報
【特許文献３】特開平６−２８５８３２号公報
【発明の概要】
【発明が解決しようとする課題】
【０００９】
しかしながら、上記従来技術１、２では、コンクリート表面の保水効果を十分に持続させるのが難しく、また、コンクリートが外気温や日射の影響を直接的に受けることになるので、適切な温度範囲に保つことができない場合がある。
【００１０】
また、上記従来技術３では、湿潤材を設けているので保水効果は持続するが、断熱作用がないので外気温や日射の影響でコンクリート表面の温度変化が大きくなり、適切な温度範囲に保つことができない場合がある。
【００１１】
また、上記従来技術４では、保湿シートと保温シートを有しているので、保水効果は持続し、また、外気温の影響はある程度低減できると考えられるが、夏季の炎天下等の強い日射環境では適切な温度範囲に保つことができない場合がある。
【００１２】
また、上記従来技術５では、断熱用マットと湿潤用マットとを有しているので、保水効果は持続し、また、外気温の影響はある程度低減できると考えられるが、やはり、夏季の炎天下等では適切な温度範囲に保つことができない場合がある。
【００１３】
本発明は、かかる点に鑑みてなされたものであり、その目的とするところは、保水効果の持続性を確保しながら、遮熱性も持たせることができるようにすることにある。
【課題を解決するための手段】
【００１４】
上記目的を達成するために、第１の発明は、保水層と、
熱を反射する遮熱層とを有し、該保水層と遮熱層とが一体化されていることを特徴とするものである。
【００１５】
この構成によれば、保水層が保持している水によってコンクリート表面に水分を補給することが可能になるので、コンクリート表面の湿潤状態を十分に持続させることができる。さらに、炎天下では太陽光の熱を遮熱層が反射するので、コンクリート表面側にある保水層の温度上昇が抑制される。その結果、コンクリートの温度上昇を抑制して適切な温度範囲に保つことが可能になる。
【００１６】
第２の発明は、第１の発明において、
上記遮熱層には、凹部が形成されていることを特徴とするものである。
【００１７】
この構成によれば、遮熱層の凹部に水を溜めることが可能になり、凹部に溜まった水は徐々に蒸発していく。このときの気化熱によって保水層の熱が奪われるので、コンクリート養生面の温度上昇を効果的に抑えることが可能になる。さらに、凹部に溜まった水が断熱層としても作用するので、高外気温時に外部の熱がコンクリートに伝わり難くなる。つまり、遮熱層は、遮熱、断熱、放熱の３つの効果を奏することになるので、コンクリート養生面の温度上昇を効果的に抑えることが可能である。
【００１８】
また、夜間、気温が低下するような場合には、凹部内の水による断熱効果でコンクリート養生面の必要以上の温度低下が防止されるので、品質悪化を招くことはない。
【００１９】
さらに、遮熱層によって太陽光を反射する場合には、遮熱層に凹部があることで太陽光が乱反射し、これにより、周囲で作業を行っている作業者が感じる眩しさを低減することが可能になる。
【００２０】
第３の発明は、第１の発明において、
上記遮熱層には、凸部が形成されていることを特徴とするものである。
【００２１】
この構成によれば、遮熱層によって太陽光を反射する場合、遮熱層に凸部があることで太陽光が乱反射し、これにより、周囲で作業を行っている作業者が感じる眩しさを低減することが可能になる。
【００２２】
第４の発明は、第１から３のいずれか１つの発明において、
上記保水層と上記遮熱層との間に、断熱層が設けられ、
上記保水層、上記断熱層及び上記遮熱層が積層一体化されていることを特徴とするものである。
【００２３】
この構成によれば、外気温の変化がコンクリートに直接的に作用しなくなるので、コンクリートの温度を適切な範囲に保つことが可能になる。
【発明の効果】
【００２４】
第１の発明によれば、保水層と熱を反射する遮熱層とを有しているので、湿潤効果の持続性を確保しながら、遮熱性も持たせることができ、よって、コンクリートの打ち込み後、一定期間、温度及び湿度を適切な範囲に保つことができる。
【００２５】
第２の発明によれば、遮熱層に凹部を形成したので、凹部に水を溜めることによって遮熱層が遮熱、断熱、放熱の３つの効果を奏することになる。これにより、コンクリート養生面の温度上昇を効果的に抑えることができる。また、太陽光を反射させる際に周囲の作業者が感じる眩しさを低減することもできる。
【００２６】
第３の発明によれば、遮熱層に凸部を形成したので、太陽光を反射させる際に周囲の作業者が感じる眩しさを低減することができる。
【００２７】
第４の発明によれば、保水層と遮熱層との間に断熱層を設けたので、コンクリートの温度を適切な範囲に保つことができる。
【図面の簡単な説明】
【００２８】
【図１】実施形態１に係るコンクリート養生シートの平面図である。
【図２】図１のII−II断面図である。
【図３】実施形態２に係るコンクリート養生シートの平面図である。
【図４】図３のIV−IV断面図である。
【図５】実施形態３に係るコンクリート養生シートの平面図である。
【図６】図５のVI−VI断面図である。
【図７】実施形態４に係るコンクリート養生シートの平面図である。
【図８】図７のVIII−VIII断面図である。
【図９】実施形態５に係るコンクリート養生シートの平面図である。
【図１０】図９のX−X断面図である。
【図１１】実施形態６に係るコンクリート養生シートの平面図である。
【図１２】図１１のXII−XII断面図である。
【図１３】実施形態７に係るコンクリート養生シートの平面図である。
【図１４】図１３のXIV−XIV断面図である。
【図１５】実施形態８に係るコンクリート養生シートの平面図である。
【図１６】図１５のXVI−XVI断面図である。
【図１７】実施形態９に係るコンクリート養生シートの平面図である。
【図１８】図１７のXVIII−XVIII断面図である。
【図１９】実施形態１０に係るコンクリート養生シートの平面図である。
【図２０】図１９のXX−XX断面図である。
【図２１】実施形態１１に係るコンクリート養生シートの平面図である。
【図２２】図２１のXXII−XXII断面図である。
【図２３】実施形態１２に係るコンクリート養生シートの平面図である。
【図２４】図２３のXXIV−XXIV断面図である。
【発明を実施するための形態】
【００２９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３０】
（実施形態１）
図１は、本発明の実施形態１に係るコンクリート養生シート１の平面図であり、図２は、実施形態１に係るコンクリート養生シート１の断面図である。コンクリート養生シート１は、例えば、コンクリートダム、橋梁スラブ、橋脚等の一般的なコンクリート構造物を構築する際の養生を行う場合に好適である。
【００３１】
コンクリート養生シート１の幅は、現場での取扱いのし易さを考慮して設定すればよく、例えば１ｍ程度が好ましい。また、コンクリート養生シート１の長さは例えば２０ｍ程度が好ましい。
【００３２】
コンクリート養生シート１は二層構造である。すなわち、コンクリート養生シート１は、該シート１の裏面（コンクリートに接触する面）側に位置する保水層２と、該シート１の表面側に位置する遮熱層３とを備え、保水層２及び遮熱層３が積層一体化されている。
【００３３】
保水層２としては、水を保持することができるものであればよく、特に限定されないが、例えば、マイクロファイバーやスポンジ、合成繊維からなる不織布、織布や、これを基材として高分子水吸収体を固定したもの、または繊維に高分子水吸収体を一体化したもの等を用いることができる。また、上記不織布としては、ポリエステル、アクリル・レーヨン不織布等を用いるのが好ましい。また、保水層２は、上記例示したものを複数種組み合わせたものであってもよい。保水層２が有する性質としては、自身が保持している水を、コンクリート表面に徐々に供給してコンクリート表面の湿潤状態を安定して長時間に亘って維持できる性質である。
【００３４】
上記高分子水吸収体は、例えば、ポリアクリル酸ナトリウム等のポリアクリル酸系、カルボキシメチルセルロース等のセルロース系などを挙げることができる。その他、クロロプレンゴム又はハイパロンゴム等を主体としたゴム系と、ポリ塩化ビニル系と、ポリウレタン系等の二液反応型及び湿気硬化型等のものを用いることができる。
【００３５】
遮熱層３は、熱を反射する材料からなるものであればよく、例えば、アルミニウム、ステンレス、ニッケル、銀、銅などの金属系の箔、またはそれら金属を蒸着した金属系反射材蒸着フィルム、または金属系以外の酸化チタン、セラミック粉などを蒸着した非金属系反射材蒸着フィルム、または織布等を用いることができる。金属系のものは、コンクリートのアルカリ水で溶出する恐れがあるためポリエステル、ポリエチレン等の合成樹脂フィルムで外面をコーティング処理してアルカリ水が金属に接触するのを防止したものが好ましい。
【００３６】
上記保水層２と遮熱層３は、例えば接着剤による接着や熱溶着等の手法によって積層状態で一体化する。保水層２と遮熱層３は、ラミネートすることも可能である。
【００３７】
遮熱層３は、水を通さない不透水性のものが望ましい。遮熱層３が透水性である場合は保水層２と遮熱層３との間に不透水性の膜（シート、フィルム等）を介在させるのが好ましい。不透水性の膜としてはポリエチレンフィルム等の合成樹脂フィルム、その他種々のメンブレンを用いることができる。このような構造にすることで保水層２の水分が遮熱層３側から逸散するのを防止することができる。
【００３８】
次に、上記コンクリート養生シート１を使用する場合について説明する。コンクリート養生シート１の保水層２には、予め水を吸収させておく。コンクリート構造物の構築現場においてコンクリートを打ち込んだ後、コンクリート養生シート１を、その保水層２がコンクリート表面に接触するように敷設する。
【００３９】
この保水層２の水分がコンクリート表面の減少した分の水分を補給することになるので、コンクリートを湿潤状態に保つことができる。
【００４０】
このとき遮熱層３により太陽光が反射されるので、保水層２の温度上昇が抑制され、その結果、コンクリート養生面の温度上昇が抑えられる。
【００４１】
また、コンクリート養生シート１の保水層２と遮熱層３との間に不透水性の膜を設けている場合には、保水層２の水が遮熱層３側に達して散逸することはなく、炎天下であってもコンクリートを湿潤状態に保ち続けることができる。
【００４２】
以上説明したように、この実施形態１に係るコンクリート養生シート１によれば、保水層２と遮熱層３とを有しているので、保水効果の持続性を確保しながら、遮熱性も持たせることができ、よって、コンクリートの打ち込み後、一定期間、温度及び湿度を適切な範囲に保つことができる。
【００４３】
図示しないが、上記保水層２と上記遮熱層３の間に断熱層を設けてもよい。この場合、断熱層を設けることでさらに高い断熱性を持たせることができ、例えば気温が低い場合に保温効果を発揮するので冬場での使用に適している。断熱層としては柔軟性のある発泡ポリエチレンや発泡ウレタン、発泡ポリウレタン等の軟質樹脂発泡体が好ましい。軟質樹脂発泡体とすることで、コンクリート養生シート１を運搬する際や保管する際にロール状にすることが容易である。
【００４４】
（実施形態２）
図３及び図４は、本発明の実施形態２に係るコンクリート養生シート１を示すものである。この実施形態２のコンクリート養生シート１は、実施形態１のものに対し、遮熱層３に凹部３ａ及び凸部３ｂが形成されている点で異なっており、他の部分は実施形態１と同様であるので、以下、実施形態１と異なる部分について詳細に説明する。
【００４５】
遮熱層３には、平面視、即ちコンクリートへの敷設状態で表となる側から見たとき、多数の凹部３ａが縦横に間隔をあけて形成されている。凹部３ａの形状は、実施形態２では略正方形であり、凹部３ａの深さは全体が略同じであり、例えば１ｍｍ〜１０ｍｍ程度である。凹部３ａの深さは、凹部３ａ内に水が溜まる程度に設定するのが好ましく、上記範囲外であってもよい。また、凹部３ａの大きさは、幅が１０ｍｍ〜５０ｍｍ程度に設定されている。
【００４６】
凹部３ａの形成方法としては、この実施形態では遮熱層３の表面を窪ませて遮熱層３に薄肉部分を形成し、この薄肉部分で凹部３ａを構成している。従って、遮熱層３の裏面（保水層２側の面）は平坦である。
【００４７】
遮熱層３の表面において、凹部３ａ以外の部分には凸部３ｂが形成される。従って、凸部３ｂは、凹部３ａの周囲全体に形成されることになる。
【００４８】
この実施形態２のコンクリート養生シート１によれば、実施形態１と同様に保水層２と遮熱層３とを有しているので、コンクリートの打ち込み後、一定期間、温度及び湿度を適切な範囲に保つことができる。これに加えて以下の効果も奏することができる。
【００４９】
すなわち、コンクリート養生シート１の敷設後に、遮熱層３に水を撒くと、凹部３ａ内に水が溜まることになる。凹部３ａに溜まった水は徐々に蒸発していき、このときの気化熱によって保水層２の熱が奪われるので、コンクリート養生面の温度上昇を抑えることが可能になる。さらに、凹部３ａに溜まった水が断熱層としても作用するので、高外気温時に外部の熱がコンクリートに伝わり難くなる。つまり、凹部３ａを有する遮熱層３は、遮熱、断熱、放熱の３つの効果を奏することになるので、コンクリート養生面の温度上昇を効果的に抑えることが可能である。
【００５０】
また、夜間、気温が低下するような場合には、遮熱層３の凹部３ａ内の水による断熱効果でコンクリート養生面の必要以上の温度低下が防止されるので、品質悪化を招くことはない。
【００５１】
さらに、遮熱層３によって太陽光を反射する場合には、遮熱層３に凹部３ａ及び凸部３ｂがあることで太陽光が乱反射し、これにより、周囲で作業を行っている作業者が感じる眩しさを低減することが可能になる。
【００５２】
（実施形態３）
図５及び図６は、本発明の実施形態３に係るコンクリート養生シート１を示すものである。この実施形態３のコンクリート養生シート１は、実施形態２のものに対し、遮熱層３の凹部３ａ及び凸部３ｂの形状が異なっており、他の部分は実施形態２と同様であるので、以下、実施形態２と異なる部分について詳細に説明する。
【００５３】
凹部３ａの形状は円形である。また、凸部３ｂは、凹部３ａの周囲全体に形成されている。
【００５４】
この実施形態３のコンクリート養生シート１によれば、実施形態２と同様な作用効果を奏することができる。
【００５５】
（実施形態４）
図７及び図８は、本発明の実施形態４に係るコンクリート養生シート１を示すものである。この実施形態４のコンクリート養生シート１は、実施形態２のものに対し、遮熱層３の凹部３ａ及び凸部３ｂの形状が異なっており、他の部分は実施形態２と同様であるので、以下、実施形態２と異なる部分について詳細に説明する。
【００５６】
凹部３ａの形状は平面視で略正方形である。凹部３ａの底面は、複数の平面を組み合わせて構成されており、該底面の中央部が最も深くなるように該底面の周縁部から中央部に向けて下降傾斜している。また、凸部３ｂは隣り合う凹部３ａの間に形成されており、凸部３ｂは、断面が山形になるように傾斜した複数の平面で構成されている。
【００５７】
この実施形態４のコンクリート養生シート１によれば、実施形態２と同様な作用効果を奏することができるとともに、凹部３ａ及び凸部３ｂが、角度の異なる複数の平面で構成されているので、太陽光が乱反射しやすくなり、眩しさをより一層低減できる。
【００５８】
（実施形態５）
図９及び図１０は、本発明の実施形態５に係るコンクリート養生シート１を示すものである。この実施形態５のコンクリート養生シート１は、実施形態３のものに対し、遮熱層３の凹部３ａの形状が異なっており、他の部分は実施形態３と同様であるので、以下、実施形態３と異なる部分について詳細に説明する。
【００５９】
凹部３ａの形状は平面視では、実施形態３と同様に円形であるが、底面は、実施形態３では平坦であるのに対し、実施形態５では中央部が最も深くなるように湾曲している。
【００６０】
この実施形態５のコンクリート養生シート１によれば、実施形態３と同様な作用効果を奏することができるとともに、凹部３ａが湾曲していることで、太陽光が乱反射しやすくなり、眩しさをより一層低減できる。
【００６１】
（実施形態６）
図１１及び図１２は、本発明の実施形態６に係るコンクリート養生シート１を示すものである。この実施形態６のコンクリート養生シート１は、実施形態２のものに対し、遮熱層３の凹部３ａの形状が異なっており、他の部分は実施形態２と同様であるので、以下、実施形態２と異なる部分について詳細に説明する。
【００６２】
凹部３ａの形状は平面視で略正方形である。各凹部３ａの４つの側面は、凹部３ａの底面に近づくに従って底面の中央に接近する方向に傾斜している。
【００６３】
この実施形態６のコンクリート養生シート１によれば、実施形態２と同様な作用効果を奏することができるとともに、凹部３ａの側面が傾斜していることで、太陽光が乱反射しやすくなり、眩しさをより一層低減できる。
【００６４】
（実施形態７）
図１３及び図１４は、本発明の実施形態７に係るコンクリート養生シート１を示すものである。この実施形態７のコンクリート養生シート１は、実施形態３のものに対し、遮熱層３の凹部３ａの形状が異なっており、他の部分は実施形態３と同様であるので、以下、実施形態３と異なる部分について詳細に説明する。
【００６５】
凹部３ａの形状は平面視で円形である。凹部３ａの周面は、凹部３ａの底面に近づくに従って底面の中央に接近する方向に傾斜している。
【００６６】
この実施形態７のコンクリート養生シート１によれば、実施形態３と同様な作用効果を奏することができるとともに、凹部３ａの周面が傾斜していることで、太陽光が乱反射しやすくなり、眩しさをより一層低減できる。
【００６７】
（実施形態８）
図１５及び図１６は、本発明の実施形態８に係るコンクリート養生シート１を示すものである。この実施形態８のコンクリート養生シート１は、実施形態２のものに対し、遮熱層３の凹部３ａの形成パターン及び凸部３ｂの形状が異なっており、他の部分は実施形態２と同様であるので、以下、実施形態２と異なる部分について詳細に説明する。
【００６８】
凹部３ａの形状は平面視で正方形である。凹部３ａは、コンクリート養生シート１の長手方向（図１５の上下方向）には直線状に並んでいる。一方、幅方向（図１５の左右方向）に並ぶ凹部３ａは直線状ではなく、長手方向にずれている。凸部３ｂは、凹部３ａの周囲全体に形成されている。
【００６９】
この実施形態８のコンクリート養生シート１によれば、実施形態２と同様な作用効果を奏することができる。
【００７０】
（実施形態９）
図１７及び図１８は、本発明の実施形態９に係るコンクリート養生シート１を示すものである。この実施形態９のコンクリート養生シート１は、実施形態２のものに対し、遮熱層３の凹部３ａ及び凸部３ｂの形状が異なっており、他の部分は実施形態２と同様であるので、以下、実施形態２と異なる部分について詳細に説明する。
【００７１】
凹部３ａの形状は平面視でコンクリート養生シート１の長手方向（図１７の上下方向）に長い長方形である。また、凸部３ｂは、凹部３ａの周囲全体に形成されている。
【００７２】
この実施形態９のコンクリート養生シート１によれば、実施形態２と同様な作用効果を奏することができる。
【００７３】
（実施形態１０）
図１９及び図２０は、本発明の実施形態１０に係るコンクリート養生シート１を示すものである。この実施形態１０のコンクリート養生シート１は、実施形態２のものに対し、遮熱層３の凹部３ａ及び凸部３ｂの関係が逆になっており、他の部分は実施形態２と同様であるので、以下、実施形態２と異なる部分について詳細に説明する。
【００７４】
凸部３ｂの形状は、正方形であり、遮熱層３の縦横に間隔をあけて形成されている。凹部３ａは、遮熱層３の表面において凸部３ｂ以外の部分であり、全体的に格子状の溝となる。
【００７５】
また、遮熱層３の表側の幅方向両側には、コンクリート養生シート１の長手方向に延びる突条部３ｅ，３ｅがそれぞれ形成されている。突条部３ｅ，３ｅを設けることで、凹部３ａ内の水が遮熱層３の表面から流れ落ちてしまうのを抑制することが可能になる。
【００７６】
凹部３ａに溜まった水は、凹部３ａが連続する溝であるため、遮熱層３の各部に広がり易くなる。
【００７７】
この実施形態１０のコンクリート養生シート１によれば、実施形態２と同様な作用効果を奏することができるとともに、凹部３ａが溝であることから、凹部３ａに溜まった水を遮熱層３の各部に広げて温度低下を広範囲に促すことができる。
【００７８】
（実施形態１１）
図２１及び図２２は、本発明の実施形態１１に係るコンクリート養生シート１を示すものである。この実施形態１１のコンクリート養生シート１は、実施形態２のものに対し、断熱層４を設けた点で異なっており、他の部分は実施形態２と同様であるので、以下、実施形態２と異なる部分について詳細に説明する。
【００７９】
断熱層４は、保水層２と遮熱層３の間に設けられている。断熱層４としては柔軟性のある発泡ポリエチレンや発泡ウレタン、発泡ポリウレタン等の軟質樹脂発泡体が好ましい。軟質樹脂発泡体とすることで、コンクリート養生シート１を運搬する際や保管する際にロール状にすることが容易である。
【００８０】
断熱層４を設けることでさらに高い断熱性を持たせることができ、例えば気温が低い場合に保温効果を発揮するので冬場での使用に適している。
【００８１】
この実施形態１１のコンクリート養生シート１によれば、実施形態２と同様な作用効果を奏することができるとともに、高い断熱性を持たせることができ、冬場においても品質悪化を防止できる。
【００８２】
（実施形態１２）
図２３及び図２４は、本発明の実施形態１２に係るコンクリート養生シート１を示すものである。この実施形態１２のコンクリート養生シート１は、実施形態２のものに対し、凹部３ａ及び凸部３ｂの形成方法が異なっており、他の部分は実施形態２と同様であるので、以下、実施形態２と異なる部分について詳細に説明する。
【００８３】
この実施形態では、遮熱層３の表面の凹部３ａに対応して裏面に凸部３ｃを形成し、表面の凸部３ｂに対応して裏面に凹部３ｄを形成している。この遮熱層３は、例えば熱プレス成形等によって得ることができる。
【００８４】
この実施形態１２のコンクリート養生シート１によれば、実施形態２と同様な作用効果を奏することができる。
【００８５】
また、実施形態２〜１２においては、遮熱層３に凹部３ａ及び凸部３ｂの両方を設けているが、いずれか一方のみを設けてもよい。
【００８６】
また、実施形態２〜１２において凹部３ａ及び凸部３ｂの形状や数、配置は、任意に設定することができる。
【００８７】
また、実施形態２〜１２の特徴を任意に組み合わせることも可能である。
【００８８】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００８９】
以上説明したように、本発明は、コンクリートの養生に使用できる。
【符号の説明】
【００９０】
１            コンクリート養生シート
２            保水層
３            遮熱層
３ａ          凹部
３ｂ          凸部
４            断熱層
【図１】
2014152560.tif 000003
【図２】
2014152560.tif 000004
【図３】
2014152560.tif 000005
【図４】
2014152560.tif 000006
【図５】
2014152560.tif 000007
【図６】
2014152560.tif 000008
【図７】
2014152560.tif 000009
【図８】
2014152560.tif 000010
【図９】
2014152560.tif 000011
【図１０】
2014152560.tif 000012
【図１１】
2014152560.tif 000013
【図１２】
2014152560.tif 000014
【図１３】
2014152560.tif 000015
【図１４】
2014152560.tif 000016
【図１５】
2014152560.tif 000017
【図１６】
2014152560.tif 000018
【図１７】
2014152560.tif 000019
【図１８】
2014152560.tif 000020
【図１９】
2014152560.tif 000021
【図２０】
2014152560.tif 000022
【図２１】
2014152560.tif 000023
【図２２】
2014152560.tif 000024
【図２３】
2014152560.tif 000025
【図２４】
2014152560.tif 000026